(57)【特許請求の範囲】
【請求項１】
プロセッサによって、バッテリシステムに対応する電圧値を受信することと、
前記プロセッサによって、前記バッテリシステムを通して流れる電荷に対応する電荷値を受信することと、
前記プロセッサによって、少なくとも１つの所定の継続時間の間、少なくとも受信された前記電圧値及び前記電荷値を分析することと、
前記プロセッサによって、前記所定の継続時間の各々の間、前記受信された電圧値、時間及び前記バッテリシステムを通して流れる電流に少なくとも一部基づく規定の条件を満たすことを、規定された回数繰り返す場合を、電荷積分のアンカー点として決定することと、
前記プロセッサによって、前記規定の条件を満たす、決定された前記アンカー点を、前記電荷積分の更新されたアンカー点として割り当てることにより、前記バッテリシステムの容量を更新することと、
前記プロセッサによって、電荷積分の更新された前記アンカー点に基づいて、充電状態を判定することと、
を含む、方法。
【請求項２】
前記バッテリシステムの前記容量を更新することは、更新された前記アンカー点のうちの２つの間での前記電荷積分に更に基づく、
請求項１に記載の方法。
【請求項３】
前記充電状態を判定することは、電荷積分の変化と、更新された容量とを比較することを更に含む、
請求項１に記載の方法。
【請求項４】
前記更新することを、前記バッテリシステムに対応する充電プロセスの間にトリガすることを更に含む、
請求項１に記載の方法。
【請求項５】
前記更新することを、前記バッテリシステムに対応する放電プロセスの間にトリガすることを更に含む、
請求項１に記載の方法。
【請求項６】
前記更新することを、前記電荷積分が発生するアンカー点の間の規定された期間に基づいてトリガすることを更に含む、
請求項１に記載の方法。
【請求項７】
前記更新することを、前記電荷積分の２つのアンカー点のうちの少なくとも１つが到達される時に達される電流の大きさに基づいてトリガすることを更に含む、
請求項１に記載の方法。
【請求項８】
前記更新することを、前記電荷積分の２つのアンカー点のうちの１つがいつ到達されるかに基づいてトリガすることを更に含む、
請求項１に記載の方法。
【請求項９】
バッテリシステムの電圧を感知するように構成された、バッテリ電圧感知ロジックと、
前記バッテリシステムを通して流れる電荷を感知するように構成された、シャント電圧感知ロジックと、
プロセッサであって、
前記感知された電圧及び電荷に対応する値を受信し、
少なくとも１つの所定の継続時間の間、少なくとも感知された前記電圧及び電荷に対応する値を分析し、
前記所定の継続時間の各々の間、前記感知された電圧、時間、及び電流に少なくとも一部基づく規定の条件を満たすことを、規定された回数繰り返す場合を、電荷積分のアンカー点として決定し、
前記プロセッサによって、前記規定の条件を満たす、決定された前記アンカー点を、前記電荷積分の更新されたアンカー点として割り当てることにより、前記バッテリシステムの容量を更新し、
前記更新されたアンカー点に基づいて充電状態を判定する
ように構成された、プロセッサと、
を備える、充電状態判定システム。
【請求項１０】
前記プロセッサは、前記更新されたアンカー点のうちの２つの間で前記電荷を積分することに基づいて、前記バッテリシステムの容量を更新するように更に構成される、
請求項９に記載のシステム。
【請求項１１】
前記プロセッサは、電荷積分の変化と、前記更新された容量とを比較することによって充電状態を判定するように更に構成される、
請求項９に記載のシステム。
【請求項１２】
前記プロセッサは、前記バッテリシステムに対応する充電プロセス又は放電プロセスの間に前記更新をトリガするように更に構成される、
請求項９に記載のシステム。
【請求項１３】
前記プロセッサは、
前記電荷積分が発生するアンカー点の間の規定された期間、
前記アンカー点のうちの少なくとも１つが到達される時に達される電流の大きさ、
又は、
前記アンカー点のうちの１つがいつ到達されるか、
のうちの１つ以上に基づいて前記更新をトリガするように更に構成される、
請求項９に記載のシステム。
【請求項１４】
ディスプレイを更に備え、
前記プロセッサは、前記ディスプレイに、
前記電荷積分を継続している間に、高アンカー点が到達される前に、前記充電状態に対応する特定の値を超過する充電カウントを、前記電荷積分が含む場合に、特定の表示される充電状態値を提供し、又は、
前記電荷積分が、前記特定の値を超過しない充電カウントを含み、かつ、前記高アンカー点が到達された場合に、前記充電状態のための決定された新たな基準点に基づく、別の表示される充電状態を提供するように更に構成される、
請求項９に記載のシステム。
【請求項１５】
ディスプレイを更に備え、
前記プロセッサは、前記ディスプレイに、
前記電荷積分を継続している間に、低アンカー点が到達される前に、前記電荷積分が特定の値未満に減少した場合に、低充電状態値を提供し、又は、
前記電荷積分が前記特定の値未満に減少せず、かつ、前記低アンカー点が到達された場合、前記低充電状態値を提供するように更に構成され、ここで、前記プロセッサは、新たな制約の下で前記電荷積分を継続するように更に構成される、
請求項９に記載のシステム。
【発明の詳細な説明】
【技術分野】
【０００１】
本開示は、一般に、バッテリシステムの充電状態を探査することに関する。
【背景技術】
【０００２】
バッテリシステム（例えば、１つ以上のバッテリを含む）は、携帯電話などのポータブル装置から、フォークリフト、ゴルフカート、及び更には、近年における電気又はハイブリッド電気自動車などの、よりヘビーデューティーな適用例まで、適用範囲が大きく広げられて以来、日常生活においてますます重要になりつつある。
【０００３】
上述の適用例のうちの任意のもの（又はその他の適用例）において、高信頼の充電状態監視は、バッテリシステムを商業的に存立可能なものとするために重要である。電気及びハイブリッド自動車などの、いくつかの場合、充電状態監視は、更には、安全性の問題にも関連する可能性がある。
【発明の概要】
【課題を解決するための手段】
【０００４】
一実施形態では、プロセッサによって実施される方法は、バッテリシステムに対応する電圧値を受信し、バッテリシステムを通して流れる電荷に対応する電荷値を受信し、電荷積分（ｃｈａｒｇｅ  ｉｎｔｅｇｒａｔｉｏｎ）の指定されたアンカー点に基づいて、充電状態を判定することを含み、アンカー点は、受信された電圧及び時間に基づく。
【図面の簡単な説明】
【０００５】
本開示の多くの態様は、以下の図面を参照すればよりよく理解することが可能である。図面中の構成要素は、必ずしも一定の縮尺ではなく、代わりに、本開示の特定の実施形態の原理を明確に説明する強調がなされている。その上、図面中で、同様の参照番号は、いくつかの図を通して、対応する部分を示す。
【図１】例示的充電状態判定システムの実施形態を示すブロック図である。
【図２】充電状態判定方法を実施するように構成された例示的装置の実施形態を示す概略図である。
【図３】充電状態判定方法の実施形態を示すフローチャートである。
【図４】充電状態判定方法の別の実施形態を示すフローチャートである。
【発明を実施するための形態】
【０００６】
本明細書中で開示されるのは、本明細書中で集合的に又は個別に充電状態判定システム（Ｓｔａｔｅ  ｏｆ  Ｃｈａｒｇｅ  Ｄｅｔｅｒｍｉｎａｔｉｏｎ  ｓｙｓｔｅｍ）又はＳＣＤシステムと呼ばれる、充電状態判定システム及び方法の特定の実施形態である。ＳＣＤシステムの１つ以上の実施形態は、バッテリシステム（例えば、バッテリ、又は複数のバッテリ）の充電状態（例えば、利用可能な容量）を探査するために使用されてもよい、正確、効率的、経済的な、かつ高信頼のシステムを提供する。例えば、一実施形態では、バッテリシステムの充電状態は、電圧検出及び電荷積分の暗黙的な実施を介して判定される。
【０００７】
暫時本筋を離れるが、バッテリシステムの充電状態は、従来通り、電圧のみに基づいて探査されてもよい。しかし、バッテリシステムの電圧の探査単独では、バッテリシステムが高電流入力／出力状況（充電又は放電プロセス中に予測できない電圧増加又は低下を引き起こす可能性がある）の下で動作させられている場合、誤認を生じさせる、かつ／又は、低信頼となる可能性がある。更に、従来の電圧探査技術は、バッテリシステムの電圧プラトーが容量に比べてあまりにも平坦である場合などの、その他の理由で、不正確な可能性がある。この後者の状況は、広い範囲の容量測定値にわたって平坦な電圧プラトーを有する、リチウム鉄リン酸化物ベースのバッテリ（ｌｉｔｈｉｕｍ  ｉｒｏｎ  ｐｈｏｓｐｈｏｒｏｕｓ  ｏｘｉｄｅ−ｂａｓｅｄ  ｂａｔｔｅｒｉｅｓ）、又はリン酸鉄リチウムベースのリチウムイオンベースバッテリ（ｌｉｔｈｉｕｍ  ｉｒｏｎ  ｐｈｏｓｐｈａｔｅ−ｂａｓｅｄ  ｌｉｔｈｉｕｍ  ｉｏｎ  ｂａｓｅｄ  ｂａｔｔｅｒｉｅｓ）の場合、特に当てはまる。
【０００８】
様々な問題の中でも、特に、上述の問題のうちの１つ以上を克服するために、本明細書中で開示されるＳＣＤシステムの特定の実施形態は、高電力及び平坦なプラトー状況が存在する実装などにおける、不適切な容量探査を防止するために、電荷積分を利用する。但し、電荷積分単独では、（例えば、測定値におけるドリフト、及び／又は、電荷積分器の精度限界によって引き起こされる）経時的な精度における欠点を有する可能性があるため、ＳＣＤシステムの特定の実施形態では、電荷積分を電圧検出と組み合わせる。
【０００９】
明確にするために、本明細書中での用語「バッテリ」の使用は、単一の電気化学セルを意味し、語句「バッテリシステム」の使用は、１つのセル、あるいは、直列、及び／又は並列に接続された複数のセルを意味する。言い換えると、バッテリシステムは、単一のバッテリを含んでもよい。
【００１０】
バッテリシステムの一般的な放電プロファイルは、時間と共に変化する電圧を含むということが知られている。更に、バッテリシステムが、異なる電流の大きさの下で放電される場合、放電プロファイルは異なる可能性があるということが知られている。結果として、電荷積分が、電圧単独より高信頼に充電状態を判定することにおいて使用されてもよく、電圧単独の使用は、従来通り、バッテリ充電状態を監視するために使用される。電荷積分は、積分の開始及び終了点を必要とするため、特定の条件が、積分開始及び終了点（本明細書中ではアンカー点と呼ばれる）を決定してもよい。本開示では、電圧及び時間、又は、電圧、電流、及び時間が、アンカー点を決定することにおいて使用されてもよい。アンカー点の間での電荷積分は、バッテリシステムの充電状態を判定することにおいて有意であってもよい。
【００１１】
図１は、例示的充電状態判定（ＳＣＤ）システム１００の一実施形態を示すブロック図である。ＳＣＤシステム１００は、バッテリ電圧感知ロジック１０２と、シャント電圧感知ロジック１０４とを含む。バッテリ電圧感知ロジック１０２、及びシャント電圧感知ロジック１０４は、それぞれ、バッテリ電圧、及びシャント抵抗電圧降下を感知するように構成される。当業者は、本開示に関連して、シャント電圧感知ロジック１０４が、電流を直接測定するために使用される任意の装置（例えば、ホールリング）として実施されてもよいということを理解されたい。同様に、当業者は、従来技術で周知の複数の異なる回路が、バッテリ電圧感知のために使用されてもよいということを理解されたい。
【００１２】
ＳＣＤシステム１００は、バッテリ電圧感知ロジック１０２、及びシャント電圧感知ロジック１０４からの１つ以上の入力（例えば、値）を受信するように構成された、プロセッサ１０６を更に含む。そのような入力は、様々なデータの中でも、特に、電圧値、電流値、及び／又は電荷値を含んでもよい。プロセッサ１０６は、マイクロプロセッサ、マイクロコントローラ、又は特定機能向け集積回路（ｆｕｎｃｔｉｏｎ−ｓｐｅｃｉｆｉｃ  ｉｎｔｅｇｒａｔｅｄ  ｃｉｒｃｕｉｔ）を含んでもよい。プロセッサ１０６は、組み込まれたコードによって（又は、いくつかの実施形態では、結合されたメモリなどの揮発性及び／又は不揮発性記憶装置からのソフトウェア又はファームウェアの取り出しを介して）、時間カウント（例えば、単独で、あるいは、ハードウェア及び／又はソフトウェアクロック回路と組み合わせて）、電荷積分（例えば、充電状態判定のため）、電流の大きさの計算値（例えば、積分された電荷を時間で割ることを介して）、及び、バッテリ電圧判定値を提供するように構成される。いくつかの実施形態では、プロセッサ１０６は、電圧判定値を単に受信し、これを更なる処理のために使用する。
【００１３】
プロセッサ１０６は、無線又は有線接続を介して、ディスプレイ装置１０８に出力データを提供するように更に構成される。出力データは、以下に限定されないが、充電状態測定値、電流の大きさの測定値、及びバッテリ電圧測定値を含む。ディスプレイ装置１０８は、プロセッサ１０６に対してリモートに、又はローカルに配置されてもよい。ディスプレイ装置１０８は、液晶ダイオード（ＬＣＤ）又は発光ダイオード（ＬＥＤ）技術などの、複数の既知の表示技術のうちの１つに基づく表示画面を含む。
【００１４】
図２は、充電状態判定方法、及び一般に充電状態監視を実施するように構成された、例示的装置の一実施形態を示す概略図である。特に、装置２００は、電源入力端子２０２と、バッテリ電圧感知端子２０４と、シャント電圧感知端子２０６と、出力インタフェース２０８と、プロセッサ１０６とを含む、充電状態ボードを含む。電源入力端子２０２は、電源から電力を受け取るように構成され、電源は装置２００を駆動する。いくつかの実施形態では、電源は、装置２００と一体化されてもよい。バッテリ電圧感知端子２０４、及びシャント電圧感知端子２０６は、それぞれ、バッテリ電圧感知ロジック１０２、及びシャント電圧感知ロジック１０４からデータを受信するように構成される。いくつかの実施形態では、１つ以上のプローブが感知のために使用されてもよく、端子２０４及び２０６のそれぞれに関連付けられたボード上のロジックは、電荷、電圧、電流などの、適切な計算値を提供する。
【００１５】
一実施形態では、バッテリ電圧感知端子２０４において受信されたデータは、（例えば、プロセッサ１０６によって）アンカー点を判定するために使用される電圧値を含む。シャント電圧感知端子２０６において受信されるシャント抵抗電圧降下測定値は、（例えば、プロセッサ１０６によって）電荷積分のために使用される。出力インタフェース２０８は、ディスプレイ装置１０８の画面上での表示のために情報（例えば、データ）を提供するように構成される。一実施形態では、プロセッサ１０６（又は、いくつかの実施形態では、プロセッサ１０６によってアクセスされるメモリ）は、パラメータのセットアップにおいて使用されるテーブル又はその他のデータ構造を有するように構成される。例えば、テーブルには、アンカー点の確立において使用するための、入力された電圧、時間、及び／又は電流などの、データが格納されてもよい。テーブルは、シャント抵抗、初期バッテリ容量、及び／又は、ドリフト補正時間の調節などの、その他の入力されたデータも受け入れてもよい。
【００１６】
当業者は、本開示に関連して、ＳＣＤシステムの一実施形態が、装置２００、又はその中に配置された構成要素のサブセット（例えば、プロセッサ１０６）を含んでもよいということを理解されたい。いくつかの実施形態では、ＳＣＤシステムは、図１に示す構成要素を含んでもよい。ＳＣＤシステムのいくつかの実施形態は、図１及び図２に示す構成要素の組み合わせを含んでもよく、従って、これら及びその他の変形は、本開示の範囲内にあるものと考えられる。
【００１７】
いくつかの例示的ＳＣＤシステムについて説明したので、次に、充電状態判定の様々な方法に注意を向ける。以下の例では、高充電状態及び低充電状態の判定について、それぞれ、１００％充電状態及び０％充電状態に関して（その他の値がいくつかの実施形態について使用されてもよいという理解の下で）説明される。高充電状態（例えば、１００％）の条件判定は、充電状態についての高アンカー点（例えば、１００％）に対応する。一実施形態では、電圧及び時間が、高アンカー点の判定のために使用される。例えば、２０秒の継続期間にわたって、例えばリチウム鉄リン酸化物バッテリシステムの、１６の直列配置されたバッテリの累積電圧が５６ボルト（Ｖ）を超過した場合、１００％の充電状態が判定される。容量の増加における、いかなる更なる充電も考慮されない。
【００１８】
いくつかの実施形態では、高アンカー点は、電圧、時間、及び電流の大きさによって判定されてもよい。例えば、２０秒の継続期間にわたって、例えばリチウム鉄リン酸化物バッテリシステムの、１６の直列配置されたバッテリの累積電圧が５６Ｖを超過し、充電電流が５００ｍＡ未満であった場合、１００％の充電状態が判定される。
【００１９】
一実施形態では、高アンカー点に対応する２つの条件が、以下のように分析される。
【００２０】
条件１：このアンカー点が到達される前に、電荷積分が１００％を超過した場合、充電状態の一部（例えば、９９％）のみが表示され、電荷積分はアクティブのままになる。更に説明すると、充電カウントが電荷積分から取得され、充電カウントは、任意の数において開始されてもよい。上述のように、初期バッテリ容量を確立するために、プロセッサ１０６によってテーブルが使用されてもよく、これは、容量と充電カウントとの間の関係のセットアップをもたらす（例えば、１Ａｈに対して１００カウント（これは、例えば、１％の容量に対応してもよい））。電荷積分は、充電カウントが任意の数になることを引き起こす可能性があるため、アンカー点が到達される前に、充電カウントが１００％充電状態を超過する可能性が存在する（例えば、経時的に蓄積される積分エラーによって導入される）。このシナリオでは、電荷積分がアクティブのまま、最大９９％が表示される。表示される値は、電流、電圧、及び（例えば、パーセントでの）充電状態を含んでもよいということに留意されたい。充電カウントは、表示されないが、基準に使用されてもよい。
【００２１】
条件２：電荷積分が１００％を超過しておらず、かつ、高アンカー点が到達された場合、１００％の充電状態が表示される。このような条件下では、電荷積分のための新たな基準点（充電カウント数）が決定され、その数に保たれる。これは、特定の充電カウントが１００％の充電状態として設定されることを意味する。電荷積分は、バッテリシステムのバッテリ電圧が特定の点（例えば、本例では５５．５Ｖ）未満に低下した場合のみ再開され、これは、バッテリシステムの電圧が、何らかの規定された電圧（例えば、５５．５Ｖ）未満に低下した場合（例えば、この場合のみ）、充電カウントの変化が発生することを意味する。
【００２２】
いくつかの実施形態では、高アンカー点は、電圧、時間によって、又は、電圧、時間、電流によって、又は、特定の回数にわたる、前述の条件の繰り返し（例えば、３回にわたって、０秒間、電圧が５６Ｖを超過）によって、指定されてもよいということに留意されたい。そのような実施形態は、充電終了電圧のみを制御することによってバッテリを充電すること（これは、充電器が、例えば、５６．５Ｖと、５３Ｖなどの何らかの低い電圧との間で充電を繰り返し、指定された時間にわたって繰り返しが実行される、又は人手などのその他の手段によって終了されることを意味する）の可能性に対処する。
【００２３】
上述のように、前述の条件は、異なる値（例えば、９０％）を高アンカー点として使用する、同じ又は類似した技法が、いくつかの実施形態で実施されてもよいという理解の下で１００％を説明的な例として使用することを含む。例えば、電圧、電流、及び継続時間の検出を介して判定されてもよい、バッテリの真の容量を表す特徴的ベンチマークとして、９０％が使用されてもよい。
【００２４】
加えて、充電状態監視のために１つ又はいくつかの高アンカー点を（例えば、同時に）使用する、同じ又は類似した技法が適用されてもよい。
【００２５】
例示的高充電状態について説明したので、次に、充電状態についての低アンカー点（例えば、０％）に対応する、低充電状態（例えば、０％）の条件判定に関する方法に注意を向ける。一実施形態では、電圧及び時間が、低アンカー点の判定のために使用される。例えば、２０秒の継続期間にわたって、例えばリチウム鉄リン酸化物バッテリシステムの、１６の直列配置されたバッテリの累積電圧が４０Ｖを下回った場合、０％の充電状態が判定される。
【００２６】
いくつかの実施形態では、低アンカー点は、電圧、時間、及び電流の大きさによって判定されてもよい。例えば、２０秒の継続期間にわたって、例えばリチウム鉄リン酸化物バッテリシステムの、１６の直列配置されたバッテリの累積電圧が４０Ｖを下回り、放電電流が５００ｍＡ未満であった場合、０％の充電状態が判定される。電流の大きさを指定することの重要性は、例えば、バッテリシステムが、電圧の大きな低下をもたらす高電流状況下で放電された場合に、低アンカー点を誤ってトリガすることの防止のためである。上述のアプローチと同様に、低アンカー点に対応する２つの条件が、以下のように分析される。
【００２７】
条件１：低アンカー点が到達される前に、電荷積分が０％未満に減少した場合、０％の充電状態のみが表示され、電荷積分はアクティブに保たれる。例えば、一例示的シナリオは、低アンカー点がトリガされる前にバッテリシステムが放電される条件を含む。電荷積分は正常に進むが、０％の充電状態は、最小の充電状態として提示（表示）される指標である。
【００２８】
条件２：電荷積分が０％未満に減少せず、かつ、低アンカー点がすでに到達された場合、０％の充電状態が表示される。そのような状況下では、電荷積分はアクティブに保たれ、前の充電状態が０に調節されたことの考慮に基づいて、電荷積分と表示との関係が再確立される。
【００２９】
低アンカー点に関して上記で分析した条件では、同じ又は類似した技法が、別の値（例えば、１０％）を低アンカー点として使用してもよいという理解の下で、０％を説明的な例として使用する。例えば、電圧、電流、及び継続時間の検出を介して判定されてもよい、バッテリの真の容量を表す特徴的ベンチマークとして、１０％が使用されてもよい。
【００３０】
加えて、充電状態監視のための、同時に存在する１つ又は複数の低アンカー点について、同じ又は類似した技法が適用されてもよい。
【００３１】
ＳＣＤシステムの特定の実施形態は、バッテリシステムの容量推定及び更新を実行するように構成されてもよい。例えば、そのような機能は、サイクルカウントが進むにつれて容量が減衰した場合に、バッテリシステムの容量を更新するために使用されてもよい。容量更新は、（例えば、プロセッサ１０６によって）２つのアンカー点の間での電荷積分を測定することによって行われてもよい。プロセッサ１０６は、容量更新の条件を、２つのアンカー点の間での電荷積分が一定の期間内に発生したかどうかとして指定してもよい（又は、この条件に準拠してもよい）（例えば、誤った経時的な電荷積分エラーに伴う容量更新の防止のため）。いくつかの実施形態では、容量更新のための条件は、規定された放電電流の大きさ未満でアンカー点がトリガされた場合に発生してもよい（例えば、大きな連続した放電電流が存在する場合の誤った容量更新の防止のため）。
【００３２】
容量更新をトリガするためにプロセッサ１０６が設定してもよい、代表的な例示的条件の非包括的なまとめは、以下を含む。（ａ）高アンカー点が達成された場合、（ｂ）特定の電流の大きさ以内で、低アンカー点が達成された場合、及び／又は、（ｃ）高アンカー点及び低アンカー点がトリガされた間の時間長が、一定の（例えば、規定された）期間内である場合。容量更新のために設定される条件は、上述の例に限定されない。例えば、電圧、時間、時間長、電流の大きさ、及び／又は、電流の向き（充電又は放電状況）によって指定されてもよい任意の条件が、適用要件に応じて、バッテリシステムの容量更新をトリガするために使用されてもよい。
【００３３】
上記で説明したように、ＳＣＤシステムの特定の実施形態は、バッテリシステムの電圧と、バッテリシステムを通して流れる電荷とを検出する、充電状態監視ボードを含んでもよい。ボード出力は、バッテリシステムの電圧と、電流の大きさ（例えば、電荷を時間で割ることによる計算を介した）と、一実施形態では電圧及び時間によって、又はいくつかの実施形態では電圧、電流、及び時間によって指定されたアンカー点によって判定された充電状態とを含んでもよい。いくつかの実施形態では、ＳＣＤシステムは、バッテリシステム容量更新の機能を更に含む、前述の充電状態ボードを含む。
【００３４】
更に、ＳＣＤシステムの特定の実施形態は、電圧及び時間によって、又はいくつかの実施形態では電圧、電流、及び時間によって指定される、かつ、特定の充電状態に直接割り当てられる、アンカー点を含む。アンカー点は、例えば、アンカー点が検出された際に記録された充電カウントを比較することによってバッテリシステムの容量を更新することにおいて使用されてもよい。特定の充電状態について設定されるアンカー点とは別に、充電状態は、バッテリシステムの、積分された電荷変化と、（例えば、最新の）更新された容量とを比較することによって判定されてもよい。バッテリシステムの容量更新は、充電プロセス又は放電プロセスの間にトリガされてもよい。更に、バッテリシステムの容量更新は、アンカー点が到達された時の間の時間長の更なる制約を伴ってトリガされてもよい。バッテリシステムの容量更新は、アンカー点が到達された時の電流の大きさの範囲を指定することによって、更に制限されてもよい。
【００３５】
ＳＣＤシステム及び関連する方法の特定の実施形態について説明したが、参照番号３００を有する、図３に示す（例えば、プロセッサ１０６又はボード２００によって実施される）一方法実施形態は、バッテリシステムに対応する電圧値を受信し（３０２）、バッテリシステムを通して流れる電荷に対応する電荷値を受信し（３０４）、電荷積分の、指定されたアンカー点に基づいて、充電状態を判定すること（アンカー点は、受信された電圧、及び時間に基づく）（３０６）を含む。
【００３６】
参照番号４００を有する図４に示す別の方法実施形態（例えば、プロセッサ１０６又はボード２００によって実施される）は、感知された電圧及び電荷に対応する値を受信し（４０２）、電荷積分のアンカー点を指定し、アンカー点は、感知された電圧、時間、及び電流に基づき（４０４）、指定されたアンカー点に基づいて、充電状態を判定すること（４０６）を含む。
【００３７】
ＳＣＤシステム（又は、その構成要素のサブセット）は、ハードウェア、ソフトウェア、ファームウェア、又はその組み合わせで実施されてもよい。ＳＣＤシステムが、全体的に又は部分的に、ソフトウェア又はファームウェアで実施される場合、そのようなソフトウェア又はファームウェアは、非一時的なメモリ（ｎｏｎ−ｔｒａｎｓｉｔｏｒｙ  ｍｅｍｏｒｙ）内に記憶され、好適な命令実行システムによって実行される。ＳＣＤシステムが、全体的に又は部分的に、ハードウェアで実施される場合、ハードウェアは、全て従来技術で周知の、以下の技術のいずれか又は組み合わせを含んでもよい。データ信号に対して論理機能を実施するための論理ゲートを有する個別論理回路（１つ又は複数）、適切な組み合わせ論理ゲートを有する特定用途向け集積回路（ＡＳＩＣ）、プログラマブルゲートアレイ（１つ又は複数）（ＰＧＡ）、フィールドプログラマブルゲートアレイ（ＦＰＧＡ）、その他。
【００３８】
本開示の当業者によって理解されるように、フローチャート内の任意のプロセス記述又はブロックは、プロセス内の特定の論理機能又はステップを実施するための１つ以上の実行可能命令を含む、モジュール、セグメント、又はコードの部分を表すものと理解されるべきであり、示された又は説明された順序とは異なる順序（含まれる機能に応じて、実質的に同時、又は逆の順序を含む）で機能が実行されてもよい、代替の実施が、本開示の範囲内に含まれる。
【００３９】
本開示のその他のシステム、方法、特徴、及び利点は、以下の図面及び詳細な説明を検討すれば、当業者にとって明らかであろう、又は、明らかとなるであろう。全てのそのような追加のシステム、方法、特徴、及び利点が、この明細書中に含まれること、本発明の範囲内であること、及び、添付の特許請求の範囲によって保護されることが意図される。
【図１】
0005992501.tif 000002
【図２】
0005992501.tif 000003
【図３】
0005992501.tif 000004
【図４】
0005992501.tif 000005